(57)【要約】【課題】複数種類の記録媒体のデータを再生するデータ再生装置が、有効な復調データを早く取得できるようにする。【解決手段】第１および第２の同期復調部４１０，４２０は、互いに異なる変調方法に対応して設けられており、２値化データＳ００１から同期コードを検出し、この検出のタイミングに基づくタイミングで２値化データＳ００１を復調し、この復調により得た復調データＳ００６，Ｓ０１６から、特定情報と特定情報エラー検出コードとを取得し、取得した特定情報エラー検出コードを用いて、取得した特定情報のエラー検出を行う。有効データ選択部４０５は、エラー検出においてエラーを検出しなかった同期復調部４１０，４２０により得られた復調データＳ００６，Ｓ０１６を、有効データＳ０２６として選択する。【選択図】図１
2009181609.tif 000002
【特許請求の範囲】
【請求項１】
同期コードと、データを特定するための特定情報、当該特定情報のエラー検出に用いられる特定情報エラー検出コードとを含む複数種類の変調方法の入力データを復調するデータ再生装置であって、
前記複数種類の変調方法にそれぞれ対応して設けられており、並列に動作し、かつ前記入力データから同期コードを検出し、当該検出のタイミングに基づくタイミングで前記入力データを復調し、当該復調により得た復調データから、特定情報と特定情報エラー検出コードとを取得し、取得した特定情報エラー検出コードを用いて、取得した特定情報のエラー検出を行う複数の同期復調部と、
前記エラー検出においてエラーを検出しなかった前記同期復調部により得られた復調データを、有効データとして選択する有効データ選択部とを備えていることを特徴とするデータ再生装置。
【請求項２】
請求項１のデータ再生装置において、
前記同期復調部は、連続する複数組の特定情報について前記エラー検出を行い、
前記有効データ選択部は、前記複数組の特定情報についてのいずれのエラー検出においてもエラーを検出しなかった前記同期復調部により得られた復調データを、有効データとして選択することを特徴とするデータ再生装置。
【請求項３】
請求項１のデータ再生装置において、
前記同期復調部は、正常に取得できた特定情報に基づいて、その後に取得する特定情報を推測する機能をさらに有し、
前記有効データ選択部は、連続する複数組の特定情報について前記エラー検出を行い、いずれかのエラー検出においてエラーを検出せず、正常に取得した特定情報が推測した特定情報と一致した前記同期復調部により得られた復調データを、有効データとして選択することを特徴とするデータ再生装置。
【請求項４】
請求項１のデータ再生装置において、
スピンドルモータの駆動により回転する光ディスクに対してレーザ光を照射して反射光を受光するピックアップの出力から前記入力データを生成する入力データ生成部と、
前記入力データを用いて再生クロックを生成するデータ再生クロック生成部と、
前記データ再生クロック生成部によって生成された再生クロックの周波数に応じた回転速度で前記光ディスクが回転するように前記スピンドルモータを制御するサーボ制御部とをさらに備えていることを特徴とするデータ再生装置。
【請求項５】
請求項１のデータ再生装置において、
集積回路によって構成されていることを特徴とするデータ再生装置。
【請求項６】
同期コードと、データを特定するための特定情報、当該特定情報のエラー検出に用いられる特定情報エラー検出コードとを含む複数種類の変調方法の入力データを復調するデータ再生装置におけるデータ再生方法であって、
前記入力データから同期コードを検出し、当該検出のタイミングに基づくタイミングで前記入力データを復調し、当該復調により得た復調データから、特定情報と特定情報エラー検出コードとを取得し、取得した特定情報エラー検出コードを用いて、取得した特定情報のエラー検出を行う同期復調動作を、並列に、前記複数種類の各変調方法毎に行い、
前記エラー検出においてエラーを検出しなかった前記同期復調動作により得られた復調データを、有効データとして選択することを特徴とするデータ再生方法。
【発明の詳細な説明】
【技術分野】
【０００１】
本発明は、同期コードと、データを特定するための特定情報と、当該特定情報のエラー検出に用いられる特定情報エラー検出コードとを含む複数種類の変調方法の入力データを復調するデータ再生装置およびデータ再生方法に関するものである。
【背景技術】
【０００２】
従来、複数種類の記録媒体のデータを再生するデータ再生装置が多用されている。例えば、ＣＤ−ＲＯＭ、ＣＤ−Ｒ、ＣＤ−ＲＷといったＣＤ（Compact Disc）のグループ、ＤＶＤ−ＲＯＭ、ＤＶＤ−ＲＡＭ、ＤＶＤ−Ｒ、ＤＶＤ−ＲＷといったＤＶＤ（Digital Versatile Disc）のグループ、Ｂｌｕ−ｒａｙ、ＨＤ  ＤＶＤ（High Definition DVD）等、多種の光ディスクに対応した再生を行う光ディスク装置が知られている。
【０００３】
特許文献１に開示された光ディスク装置は、挿入された記録媒体がＣＤ系のどの種類の光ディスクであるかを判別するＣＤ系判別処理、および挿入された記録媒体がＤＶＤ系のどの種類の光ディスクであるかを判別するＤＶＤ系判別処理を、いずれか一方から先に順番に行うようになっている。
【特許文献１】特開２００４−２３４７７２号公報
【特許文献２】特開２００５−２２９３１５号公報
【発明の開示】
【発明が解決しようとする課題】
【０００４】
しかしながら、上記特許文献１の光ディスク装置では、記録媒体の種類を判別するのにかかる時間が長くなるおそれがある。例えば、挿入された記録媒体がＤＶＤ系の光ディスクであるにもかかわらず、ＣＤ系判別処理が先に行われると、ＤＶＤ系判別処理が先に行われる場合に比べ、判別結果を得るのにかかる時間（判別時間）が長くなる。判別時間が長くなる可能性は、データフォーマットが近似する多種の記録媒体を再生するように構成されている場合に特に高くなる。また、記録媒体の種類の判別が完了した後に判別結果に応じた復調方法で復調を行う場合、判別が完了しないと復調が開始されないため、判別時間が長くなることにより、有効な復調データの取得が遅くなる。
【０００５】
本発明は、上記の点に鑑み、複数種類の記録媒体のデータを再生するデータ再生装置が、有効な復調データを早く取得できるようにすることを目的とする。
【課題を解決するための手段】
【０００６】
上記の課題を解決するため、本発明は、
同期コードと、データを特定するための特定情報、当該特定情報のエラー検出に用いられる特定情報エラー検出コードとを含む複数種類の変調方法の入力データを復調するデータ再生において、
前記入力データから同期コードを検出し、当該検出のタイミングに基づくタイミングで前記入力データを復調し、当該復調により得た復調データから、特定情報と特定情報エラー検出コードとを取得し、取得した特定情報エラー検出コードを用いて、取得した特定情報のエラー検出を行う同期復調動作を、並列に、前記複数種類の各変調方法毎に行い、
前記エラー検出においてエラーを検出しなかった同期復調動作により得られた復調データを、有効データとして選択することを特徴とする。
【０００７】
本発明によると、複数種類の変調方法に対応する同期復調動作が並列に行われ、エラー検出においてエラーを検出しなかった同期復調動作により得られた復調データが有効データとして選択されるので、データの変調方法の判別、すなわち記録媒体の判別を行わずに復調を開始できる。したがって、記録媒体の判別が完了した後に復調を開始する場合に比べ、有効な復調データを早く取得することができる。
【発明の効果】
【０００８】
本発明によれば、複数種類の記録媒体のデータを再生するデータ再生装置が、データの変調方法の判別、すなわち記録媒体の判別を行わずに復調を開始できるので、有効な復調データを早く取得することができる。
【発明を実施するための最良の形態】
【０００９】
以下、本発明の実施形態について、図面を参照して説明する。
【００１０】
本発明の実施形態に係る光ディスクドライブ装置は、光ディスク１００に記録されたデータを再生するものであり、図１に示すように、ＣＤ、ＤＶＤ、Ｂｌｕ−ｒａｙ、ＨＤ  ＤＶＤ等の光ディスク１００を回転させるスピンドルモータ２００、スピンドルモータ２００の駆動により回転する光ディスク１００にレーザ光を照射して反射光を受光するピックアップ３００、およびスピンドルモータ２００とピックアップ３００とを制御するデータ再生装置４００を備えている。詳しくは、データ再生装置４００は、ピックアップ３００の出力に応じてスピンドルモータ２００及びピックアップ３００を制御する。
【００１１】
データ再生装置４００は、集積回路によって構成され、アナログ信号処理部４０１、データ２値化処理部４０２、データ再生クロック生成部４０３、サーボ制御部４０４、第１の同期復調部４１０、および第２の同期復調部４２０、有効データ選択部４０５、および図示しないシステムコントローラを備えている。
【００１２】
アナログ信号処理部４０１は、ピックアップ３００の出力から、読み出しデータやサーボ制御に使用する制御信号を取り出す。
【００１３】
データ２値化処理部４０２は、アナログ信号処理部４０１によって取り出された読み出しデータを用いて２値化データ（入力データ）Ｓ００１を生成する。
【００１４】
なお、これらアナログ信号処理部４０１およびデータ２値化処理部４０２によって、入力データ生成部４０６が構成されている。
【００１５】
データ再生クロック生成部４０３は、データ２値化処理部４０２によって生成された２値化データＳ００１を用いて、光ディスク１００のデータを読み取るために用いられる再生クロックＳ００２を生成する。２値化データＳ００１においては、同じ値が連続する最小ビット長および最大ビット長が、変調則によって決められているので、２値化データＳ００１および光ディスク１００の回転数に基づいて、再生クロックＳ００２の適切な周波数を決めることができる。
【００１６】
サーボ制御部４０４は、光ディスク１００に対して照射するレーザ光の焦点を合わせるフォーカス制御、ピックアップ３００の位置を移動させるトラバース制御、および光ディスク１００を回転させるスピンドル制御を、アナログ信号処理部４０１によって取り出された制御信号を用いて行う。スピンドル制御は、データ再生クロック生成部４０３によって生成された再生クロックＳ００２に基づいて、スピンドルモータ２００に対して行われる。光ディスク１００の回転速度は、２値化データＳ００１および再生クロックＳ００２を用いて同期コードを検出することが可能となるようにコントロールされる。
【００１７】
ここで、第１および第２の同期復調部４１０，４２０は、データ２値化処理部４０２によって生成された２値化データＳ００１から同期コードを検出し、当該検出のタイミングに基づくタイミングで２値化データＳ００１を復調する同期復調動作を並列に行うものである。また、第１の同期復調部４１０は、ＤＶＤ系の記録媒体用の変調方法で変調された２値化データを正常に復調するものであり、第２の同期復調部４２０は、ＣＤ系の記録媒体用の変調方法で変調された２値化データを正常に復調するものである。つまり、第１および第２の同期復調部４１０は、互いに異なるデータフォーマットの２値化データを復調する。具体的には、第１の同期復調部４１０は、第１の同期検出部４１１、第１の同期保護部４１２、第１の復調部４１３、および第１の特定情報取得部４１４を備え、第２の同期復調部４２０は、第２の同期検出部４２１、第２の同期保護部４２２、第２の復調部４２３、および第２の特定情報取得部４２４を備えている。
【００１８】
第１の同期検出部４１１は、データ２値化処理部４０２によって生成された２値化データＳ００１を順次取得し、その２値化データＳ００１から所定の第１の同期コードを検出するとともに、検出の有無を示す第１の同期タイミング信号Ｓ００３を生成する。第１の同期タイミング信号Ｓ００３は、第１の同期コードの検出タイミングに基づくタイミングで所定の短い時間立ち上がる信号である。
【００１９】
第１の同期保護部４１２は、第１の同期タイミング信号Ｓ００３に基づいて、第１の同期復調タイミング信号Ｓ００４と第１のデータ先頭信号Ｓ００５とを生成する。第１の同期復調タイミング信号Ｓ００４は、第１の同期タイミング信号Ｓ００３の立ち上がり後、一定時間毎に所定の短い時間立ち上がる信号であり、２値化データＳ００１の復調動作及び再生動作の同期を取るために用いられる。第１のデータ先頭信号Ｓ００５は、第１の同期タイミング信号Ｓ００３の立ち上がりに応じて所定の短い時間立ち上がる信号であり、光ディスク１００のデータの先頭を示すものである。
【００２０】
第１の復調部４１３は、２値化データＳ００１の復調を、第１の同期保護部４１２より出力される第１の同期復調タイミング信号Ｓ００４の立ち上がりタイミングで（立ち上がりタイミングに同期して）行い、第１の復調データＳ００６を出力する。
【００２１】
第１の特定情報取得部４１４は、第１の同期保護部４１２より生成された第１のデータ先頭信号Ｓ００５を用いて、第１の復調部４１３によって出力された復調データＳ００６から、特定情報と特定情報エラー検出コードとを取得する。そして、取得した特定情報エラー検出コードを用いて、取得した特定情報のエラー検出を行う。すなわち、特定情報を正常に（正しく）取得できたか否かを確認する。そして、エラー検出の結果を第１の特定情報エラー検出信号Ｓ００８として出力するとともに、エラー検出が終了したことを示す第１のエラー検出終了信号Ｓ００７を所定の短い時間立ち上げる。エラー検出においてエラーを検出しなかった場合、すなわち、特定情報が正常に取得された場合には、第１の特定情報エラー検出信号Ｓ００８をＨレベルにするとともに、取得した特定情報を第１の特定情報Ｓ００９として出力する。
【００２２】
第２の同期検出部４２１は、データ２値化処理部４０２によって生成された２値化データＳ００１を順次取得し、その２値化データＳ００１から所定の第２の同期コードを検出するとともに、検出の有無を示す第２の同期タイミング信号Ｓ０１３を生成する。第２の同期タイミング信号Ｓ０１３は、第２の同期コードの検出タイミングに基づくタイミングで所定の短い時間立ち上がる信号である。
【００２３】
第２の同期保護部４２２は、第２の同期タイミング信号Ｓ０１３に基づいて、第２の同期復調タイミング信号Ｓ０１４と第２のデータ先頭信号Ｓ０１５とを生成する。第２の同期復調タイミング信号Ｓ０１４は、第２の同期タイミング信号Ｓ０１３の立ち上がり後、一定時間毎に所定の短い時間立ち上がる信号であり、２値化データＳ００１の復調動作及び再生動作の同期を取るために用いられる。第２のデータ先頭信号Ｓ０１５は、第２の同期タイミング信号Ｓ０１３の立ち上がりに応じて所定の短い時間立ち上がる信号であり、光ディスク１００のデータの先頭を示すものである。
【００２４】
第２の復調部４２３は、２値化データＳ００１の復調を、第２の同期保護部４２２より出力される第２の同期復調タイミング信号Ｓ０１４の立ち上がりタイミングで（立ち上がりタイミングに同期して）行い、第２の復調データＳ０１６を出力する。
【００２５】
第２の特定情報取得部４２４は、第２の同期保護部４２２より生成された第２のデータ先頭信号Ｓ０１５を用いて、第２の復調部４２３によって出力された復調データＳ０１６から、特定情報と特定情報エラー検出コードとを取得する。そして、取得した特定情報エラー検出コードを用いて、取得した特定情報のエラー検出を行う。すなわち、特定情報を正常に（正しく）取得できたか否かを確認する。そして、エラー検出の結果を第２の特定情報エラー検出信号Ｓ０１８として出力するとともに、エラー検出が終了したことを示す第２のエラー検出終了信号Ｓ０１７を所定の短い時間立ち上げる。エラー検出においてエラーを検出しなかった場合、すなわち、特定情報が正常に取得された場合には、第２の特定情報エラー検出信号Ｓ０１８をＨレベルにするとともに、取得した特定情報を第２の特定情報Ｓ０１９として出力する。
【００２６】
有効データ選択部４０５は、第１および第２の特定情報エラー検出信号Ｓ００８，Ｓ０１８を参照し、Ｈレベルの特定情報エラー検出信号Ｓ００８，Ｓ０１８を出力している特定情報取得部４１４，４２４を有する同期復調部４１０、４２０により得られた復調データＳ００６，Ｓ０１６を選択し、有効データＳ０２６として出力する。つまり、有効データ選択部４０５は、エラー検出においてエラーを検出しなかった同期復調部４１０、４２０により得られた復調データＳ００６，Ｓ０１６を、有効データＳ０２６として選択する。
【００２７】
図示しないシステムコントローラは、光ディスク１００の回転起動、およびアドレスの取得状況を確認し、２値化データＳ００１および再生クロックＳ００２の生成を行う各部とサーボ制御部４０４とをコントロールする。
【００２８】
また、第１の同期検出部４１１、第１の同期保護部４１２、第１の復調部４１３、第１の特定情報取得部４１４、第２の同期検出部４２１、第２の同期保護部４２２、第２の復調部４２３、第２の特定情報取得部４２４、および有効データ選択部４０５は、データ再生クロック生成部４０３によって生成された再生クロックＳ００２を用いて動作する。
【００２９】
図２は、本実施形態のデータ再生装置４００の動作の例を示すタイミングチャートである。
【００３０】
データ２値化処理部４０２が２値化データＳ００１を生成すると、生成された２値化データＳ００１に対して、第１および第２の同期復調部４１０，４２０が並列に同期復調動作を行う。ここで、生成された２値化データＳ００１は、ＤＶＤ系の記録媒体用の変調方法で変調されたものであるとする。
【００３１】
第１の同期復調部４１０においては、第１の同期検出部４１１が２値化データＳ００１から第１の同期コードを検出するとともに、第１の同期タイミング信号Ｓ００３を所定の短い時間立ち上げる。そして、この第１の同期タイミング信号Ｓ００３に基づいて、第１の同期保護部４１２が第１の同期復調タイミング信号Ｓ００４を一定時間毎に所定の短い時間立ち上げる。そして、この第１の同期復調タイミング信号Ｓ００４の立ち上がりタイミングで第１の復調部４１３が２値化データＳ００１を復調することにより、第１の復調データＳ００６が得られる。また、第１の同期保護部４１２は、第１の同期タイミング信号Ｓ００３の立ち上がりに応じて、第１のデータ先頭信号Ｓ００５を所定の短い時間立ち上げる。この第１のデータ先頭信号Ｓ００５を用いて、第１の特定情報取得部４１４が、第１の復調部４１３によって得られた復調データＳ００６から、特定情報と特定情報エラー検出コードとを取得し、エラー検出を行い、第１のエラー検出終了信号Ｓ００７を所定の短い時間立ち上げる。この場合、エラーが検出されないので、第１の特定情報取得部４１４は、第１の特定情報エラー検出信号Ｓ００８を立ち上げるとともに、取得した特定情報を第１の特定情報Ｓ００９として出力する。
【００３２】
一方、第２の同期復調部４２０においては、第２の同期検出部４２１が２値化データＳ００１から第２の同期コードを検出できない。そのため、第２の同期タイミング信号Ｓ０１３、第２の同期復調タイミング信号Ｓ０１４、および第２のデータ先頭信号Ｓ０１５が立ち上がらない。したがって、第２の復調データＳ０１６が得られず、特定情報と特定情報エラー検出コードも取得されないので、第２のエラー検出終了信号Ｓ０１７および第２の特定情報エラー検出信号Ｓ０１８は立ち上がらず、第２の特定情報Ｓ０１９も出力されない。
【００３３】
有効データ選択部４０５は、第１の特定情報エラー検出信号Ｓ００８がＨレベルとなっていることを参照して、第１の同期復調部４１０が特定情報を正常に取得できたと判断し、第１の同期復調部４１０により得られた復調データＳ００６を選択し、有効データＳ０２６として出力する。
【００３４】
本実施形態によると、複数種類の変調方法に対応する同期復調動作が並列に行われ、エラー検出においてエラーを検出しなかった同期復調部４１０，４２０により得られた復調データＳ００６，Ｓ０１６が、有効データＳ０２６として選択されるので、データの変調方法の判別、すなわち記録媒体の判別を行わずに復調を開始できる。したがって、記録媒体の判別が完了した後に復調を開始する場合に比べ、有効な復調データを早く取得することができる。
【００３５】
なお、上記実施形態では、有効データ選択部４０５が、１回のエラー検出においてエラーを検出しなかった同期復調部４１０，４２０により得られた復調データＳ００６，Ｓ０１６を、有効データＳ０２６として選択するようになっていた。しかし、同期復調部４１０，４２０が連続する複数組の特定情報についてエラー検出を行い、有効データ選択部４０５が、前記複数組の特定情報についてのいずれのエラー検出においてもエラーを検出しなかった同期復調部４１０，４２０により得られた復調データＳ００６，Ｓ０１６を、有効データＳ０２６として選択するようにしてもよい。これにより、有効データ選択部４０５が、有効データＳ０２６をより正確に選択できるようになる。また、特定情報がアドレス情報等、連続する情報である場合には、同期復調部４１０，４２０に、次に取得する特定情報を、正常に取得できた特定情報に基づいて推測する機能を設け、有効データ選択部４０５が、前記連続する複数組の特定情報についてのいずれかのエラー検出においてエラーを検出せず、かつ正常に取得した特定情報が推測した特定情報と一致した同期復調部４１０，４２０により得られた復調データＳ００６，Ｓ０１６を、有効データＳ０２６として選択するようにしてもよい。これにより、有効データ選択部４０５が、有効データＳ０２６をさらにより正確に選択できるようになる。なお、正常に取得できた特定情報に基づいて推測する特定情報は、次に取得する特定情報に限らず、２個後や３個後等、所定個後に取得する特定情報であってもよい。例えば、特定情報を１セクタ毎に取得する場合には、正常に取得した特定情報を含むセクタの次のセクタに含まれる特定情報に限らず、２セクタ後や３セクタ後のセクタに含まれる特定情報を推測するようにしてもよい。また、特定情報は、１セクタ毎に限らず、再生するデータのフォーマットに応じて、他の単位データ毎に取得するようにしてもよい。
【００３６】
また、上記実施形態では、データ再生装置４００に、ＤＶＤ系の記録媒体用の変調方法に対応する第１の同期復調部４１０と、ＣＤ系の記録媒体用の変調方法に対応する第２の同期復調部４２０とが設けられていた。しかし、これらの同期復調部に限らず、例えば、ＣＤやＤＶＤ以外の記録媒体の変調方法に対応する同期復調部を設けたり、複数種類のＤＶＤの変調方法に対応する複数の同期復調部を設けてもよい。
【産業上の利用可能性】
【００３７】
本発明に係るデータ再生装置およびデータ再生方法は、複数種類の記録媒体のデータを再生するデータ再生装置が、有効な復調データを早く取得することができるという効果を有し、例えば、同期コードと、データを特定するための特定情報と、当該特定情報のエラー検出に用いられる特定情報エラー検出コードとを含む複数種類の変調方法の入力データを復調するデータ再生装置およびデータ再生方法等として有用である。
【図面の簡単な説明】
【００３８】
【図１】本発明の実施形態に係る光ディスクドライブ装置の構成を示すブロック図である。
【図２】同、データ再生装置４００の動作の例を示すタイミングチャートである。
【符号の説明】
【００３９】
１００      光ディスク
２００      スピンドルモータ
３００      ピックアップ
４００      データ再生装置
４０３      データ再生クロック生成部
４０４      サーボ制御部
４０５      有効データ選択部
４０６      入力データ生成部
４１０      第１の同期復調部
４２０      第２の同期復調部
【図１】
2009181609.tif 000003
【図２】
2009181609.tif 000004